(57)【特許請求の範囲】
【請求項１】
ディスプレイシステム(800)の製造方法であって、
第１平面(529)内で第１の半導体光源(530)を電気的に接続し(802)、
前記第１平面(529)とは個別の第２平面(533)内で第２の半導体光源(534)を電気的に接続し(804)、
少なくとも前記第２の半導体光源(534)の巾に等しい距離(312)だけ前記第１の半導体光源(530)から離れて前記第１平面(529)内で第３の半導体光源(532)を電気的に接続し(806)、そして
前記電気的に接続された第２の半導体光源(534)を、前記電気的に接続された第１の半導体光源(530)と前記電気的に接続された第３の半導体光源(532)との間に位置させ、短手方向軸線を中心に前記第１平面(529)及び第２平面(533)を一緒に結合平面(535)に折り返すことにより、前記第１平面(529)及び第２平面(533)を結合平面(535)へと合体させる(808)、
ことを含み、
前記結合平面(535)が完全に組み立てられたディスプレイスクリーン(104)の完全に組み立てられたハウジングに取り外し可能に挿入されるように、かつ前記ディスプレイスクリーンの端部から該ディスプレイスクリーンに向けて照明するように構成された光ストリップ(700)であり、前記完全に組み立てられたハウジングが、前記ディスプレイスクリーン(104)を解体することなく、かつ前記第１の半導体光源(530)、第２の半導体光源(534)、及び第３の半導体光源(532)を駆動するための回路を挿入または取り外すことなく、前記完全に組み立てられたディスプレイスクリーン(104)に対して前記結合平面を挿入及び取り外し許容する少なくとも１つの開口を含む、
ディスプレイシステム(800)の製造方法。
【請求項２】
前記第１の半導体光源(530)及び前記第３の半導体光源(532)を底部可撓線(424)に装着し、そして
前記第２の半導体光源(534)を頂部可撓線(422)に装着する、
ことを含む請求項１に記載の製造方法。
【請求項３】
前記頂部可撓線(422)及び底部可撓線(424)を一緒に折り返して結合可撓線(421)を形成することにより、頂部可撓線(422)及び底部可撓線(424)を結合可撓線(421)へと合体することを含む、請求項２に記載の製造方法。
【請求項４】
少なくとも前記第２の半導体光源(534)の巾に等しい距離(312)だけ前記第１の半導体光源(530)から離れて前記第１平面(529)内で第３の半導体光源(532)を電気的に接続する(806)ことは、整列エリア(536)を形成すること、及びその整列エリアに前記第２の半導体光源(534)を位置させることを含む、請求項１に記載の製造方法。
【請求項５】
前記取り外し可能な光ストリップ(700)を前記ディスプレイスクリーン(104)に電気的に接続することを更に含む、請求項１に記載の製造方法。
【請求項６】
前記第１、第２、及び第３の半導体光源(530,534,532)に第１の整列特徴部(642)を形成し、
前記第１平面(529)及び第２平面(533)に相補的で且つ一致する第２の整列特徴部(642)を形成し、そして
前記第１の整列特徴部(642)及び第２の整列特徴部(642)を使用して、前記第１平面(529)と第２平面(533)を整列させる、
ことを含む請求項１に記載の製造方法。
【請求項７】
第１平面(529)内で電気的に接続された第１の半導体光源(530)と、
前記第１平面(529)とは個別の第２平面(533)内で電気的に接続されたという特性を有する第２の半導体光源(534)と、
少なくとも前記第２の半導体光源(534)の巾に等しい距離(312)だけ前記第１の半導体光源(530)から離れて第１平面(529)内で電気的に接続された第３の半導体光源(532)と、
を備え、
前記第２の半導体光源(534)は、前記第１の半導体光源(530)と前記第３の半導体光源(532)との間に位置付けられて、短手方向軸線を中心に前記第１平面(529)及び第２平面(533)を一緒に結合平面(535)に折り返すことにより、前記第１平面(529)及び第２平面(533)を結合平面(535)へと合体するようにしており、
前記結合平面(535)が完全に組み立てられたディスプレイスクリーン(104)の完全に組み立てられたハウジングに取り外し可能に挿入されるように、かつ前記ディスプレイスクリーンの端部から該ディスプレイスクリーンに向けて照明するように構成された光ストリップ(700)であり、前記完全に組み立てられたハウジングが、前記ディスプレイスクリーン(104)を解体することなく、かつ前記第１の半導体光源(530)、第２の半導体光源(534)、及び第３の半導体光源(532)を駆動するための回路を挿入または取り外すことなく、前記完全に組み立てられたディスプレイスクリーン(104)に対して前記結合平面を挿入及び取り外し許容する少なくとも１つの開口を含む、ディスプレイシステム。
【請求項８】
底部可撓線(424)と、
頂部可撓線(422)と、
を更に備え、前記第１の半導体光源(530)及び第３の半導体光源(532)は、前記底部可撓線(424)に装着され、
前記第２の半導体光源(534)は、前記頂部可撓線(422)に装着される、
請求項７に記載のシステム。
【請求項９】
前記頂部可撓線(422)及び底部可撓線(424)を一緒に折り返して結合可撓線(421)を形成することにより、前記頂部可撓線(422)及び前記底部可撓線(424)を合併することにより形成された結合可撓線(421)を備えた、請求項７に記載のシステム。
【請求項１０】
前記第１平面(529)内で前記第１の半導体光源(530)と前記第３の半導体光源(532)との間に前記第２の半導体光源(534)の巾に等しい整列エリア(536)を備え、
前記第２の半導体光源(534)は、前記整列エリア(536)に位置付けられる、
請求項７に記載のシステム。
【請求項１１】
前記ディスプレイスクリーン(104)が前記取り外し可能な光ストリップ(700)に電気的に接続されている、請求項７に記載のシステム。
【請求項１２】
前記第１、第２及び第３の半導体光源(530,534,532)に形成された第１の整列特徴部(642)と、
前記第１平面(529)及び第２平面(533)に形成された相補的で且つ一致する第２の整列特徴部(642)と、
を備え、前記第１の整列特徴部(642)及び第２の整列特徴部(642)は、前記第１平面(529)及び第２平面(533)を整列させる、請求項７に記載のシステム。
【発明の詳細な説明】
【技術分野】
【０００１】
本発明は、一般に、装置のディスプレイシステムに係り、より詳細には、ディスプレイシステムを照明するためのシステムに係る。
【背景技術】
【０００２】
コンピュータテクノロジーが進歩するにつれて、ラップトップのようなポータブルコンピュータシステムの需要が高まっている。ポータブルコンピュータは、コンピュータユーザに対する計算能力の移動性を著しく高めた。最初のポータブルコンピュータ以来、製造者は、ポータブルコンピュータのサイズ、重量、及び電力需要を減少しつつ、ポータブルコンピュータのバッテリ寿命を延長することで、コンピュータの移動性を高めてきた。
【０００３】
現在使用されているモニタは、ポータブルコンピュータの全体的サイズ及び重量に著しく影響する。モニタは、ユーザに分かり易い映像を与えるに充分なサイズ、輝度及び明確さでなければならない。これらの要件を満足するために、モニタは、利用可能な電力リソースに著しい負担を課し、それ故、ポータブルコンピュータの重量に間接的及び直接的に著しい影響を及ぼす。
【０００４】
典型的に、ポータブルコンピュータのモニタは、液晶ディスプレイシステムを使用している。液晶ディスプレイシステムは、典型的に、プラスチック又はガラスの頂面パネルと、プラスチック又はガラスの底面パネルとを備え、それらの間に、薄膜トランジスタ及び液晶材料の液晶ディスプレイを有している。又、これらのシステムは、バックライトシステムも使用しており、これは、典型的に、液晶ディスプレイへ光を均一に通過させるための散乱板と、光を発生するためのコールドカソード蛍光ランプ（ＣＣＦＬ）と、散乱板に光を向けるための反射板と、これら散乱板と反射板との間に位置されて、散乱板の全面に光を広げるための光パイプとを備えている。
【０００５】
しかしながら、ポータブルコンピュータのモニタに従来のＣＣＦＬ液晶ディスプレイシステムを使用すると、ポータブルコンピュータのサイズ及び重量を減少する努力を続ける上で制限ファクタを生じる。ＣＣＦＬ技術は、多くの他のディスプレイコンポーネントのサイズ及び重量を減少させた他の技術の進歩と歩調が合っていない。それ故、今日、ディスプレイの厚み及び重量を更に減少する上での主たる制限の１つは、ＣＣＦＬ照明システムである。
【０００６】
発光ダイオード（ＬＥＤ）技術は、ＣＣＦＬに対する魅力的な代替え手段を与える。ＬＥＤは、ＣＣＦＬより非常に薄く、且つＣＣＦＬの重量のある電源システムの多くを必要としない。しかしながら、１つのＬＥＤでディスプレイ全体を照明するには充分でない。更に、あるＬＥＤは、ＣＣＦＬより動作寿命が短く、又、ＬＥＤの故障によりディスプレイ全体を交換するにはコストがかかる。
【０００７】
従って、ＬＥＤをＣＣＦＬに対する実現可能な代替え手段とすべき場合には、多数のＬＥＤを小さなスペースに装着する方法として、且つＬＥＤが故障したときにディスプレイ全体を交換するコストを回避するために、経済的で且つ実際的な解決策を見出さねばならない。
【０００８】
商業的に競合するプレッシャーが益々増大し、消費者の期待が高まり、又、市場において有意義に製品を区別化する機会が減少するのに鑑み、これらの問題に対する回答を見出すことが益々重要になっている。更に、コストを節減し、効率を改善し、性能を改善し、且つこのような競合プレッシャーを満足するための益々増大するニーズは、これらの問題に対して解答を見出すべき重大な必要性に著しい緊急性を付加する。
【発明の概要】
【発明が解決しようとする課題】
【０００９】
これらの問題に対する解決策は、長期にわたり求められてきたが、従来の開発は、何らの解決策を教示も示唆もせず、従って、これらの問題に対する解決策は、当業者に思い浮かばなかった。
【課題を解決するための手段】
【００１０】
本発明は、ディスプレイシステムを提供する。第１の半導体光源が第１の平面内で電気的に接続される。この第１平面から離れた第２平面内で第２の半導体光源が電気的に接続される。少なくとも第２の半導体光源の巾に等しい距離だけ第１の半導体光源から離れて第１の平面内で第３の半導体光源が電気的に接続される。電気的に接続された第２の半導体光源を、電気的に接続された第１の半導体光源と電気的に接続された第３の半導体光源との間に位置させることにより、第１平面及び第２平面が結合平面へと合体される。
【００１１】
本発明の幾つかの実施形態は、上述したものに加えて又はそれに代わって、他の効果を有する。当業者であれば、添付図面を参照してなされた以下の詳細な説明を読むことにより、本発明の効果が明らかとなろう。
【図面の簡単な説明】
【００１２】
【図１】本発明による取り外し可能な光ストリップをもつスクリーンを合体したポータブルコンピュータを示す図である。
【図２】取り外し可能な光ストリップをもつスクリーンの、図１の拡大詳細図である。
【図３】取り外し可能な光ストリップの、図２の拡大詳細図である。
【図４】取り外し可能な光ストリップの一部分の、図３の拡大詳細図である。
【図５】アッセンブリハウジングをもたず、頂部可撓線を底部可撓線から分離した、図４の取り外し可能な光ストリップを示す図である。
【図６】底部可撓線の、図５の拡大詳細図である。
【図７】本発明の別の実施形態による取り外し可能な光ストリップを示す図である。
【図８】本発明の実施形態によるディスプレイシステムのためのシステムのフローチャートである。
【発明を実施するための形態】
【００１３】
以下の実施形態は、当業者が本発明を利用できるに充分なほど詳細に説明する。ここでの開示に基づいて他の実施形態が明らかであろうし、又、本発明の範囲から逸脱せずに、プロセス又は機械的な変更がなされ得ることを理解されたい。
【００１４】
以下の説明において、本発明を充分に理解するために多数の特定の詳細が与えられる。しかしながら、これら特定の細部を伴わずに本発明を実施できることが明らかであろう。本発明を不明瞭にしないために、良く知られた幾つかの回路、システム構成及び動作ステップは、詳細に開示しない。
【００１５】
同様に、本発明の実施形態を示す図面は、半概略図で、正確なスケールでなく、特に、幾つかの寸法は、表現を明確にするためのものであり、図中誇張して示されている。又、幾つかの特徴を共通に有する複数の実施形態を開示し説明する場合には、図示、説明及びその理解を明瞭に且つ容易にするために、互いの同様の及び同じ特徴は、通常、同じ参照番号で説明する。
【００１６】
ここで使用する「水平」という語は、ポータブルコンピュータがキーボードの下の底面を最も下にした状態で普通の動作位置にあるときにポータブルコンピュータの底部平面又は底面に平行である平面として定義される。「垂直」という語は、今定義した水平に対して鉛直な方向を指す。「〜に(on)」、「上(above)」、「下(below)」、「底部(bottom)」、「頂部(top)」、「側部(side)」（「側壁(sidewall)」のような）、「高い(higher」、「低い(lower)」、「上方(upper)」、「上(over)」及び「下(under)」のような語は、特定のコンテクスト内で及び特定のコンテクストの結果として他の理解がなされない限り、水平面に対して定義される。
【００１７】
図１には、スクリーン１０４に取り付けられたベース１０２を有するポータブルコンピュータ１００が示されている。この実施形態では、ベース１０２は、ポータブルコンピュータ１００のほとんどのコンポーネント、例えば、キーボード１０６、トラックパッド１０８、ディスクドライブ（図示せず）、及びマザーボード（図示せず）を収容している。
【００１８】
図２は、スクリーン１０４の拡大図である。この実施形態では、スクリーン１０４は、液晶ディスプレイ（ＬＣＤ）である。スクリーン１０４は、適当なコネクタ（図示されていないが、図３の電力供給コンタクト３１８を参照）により取り外し可能な光ストリップ２０６に電気的に接続される。この取り外し可能な光ストリップ２０６は、スクリーン１０４へ部分的に挿入されて示されているが、スクリーン１０４をそのベース又は底部から照明する。スクリーン１０４へ完全に挿入されると、取り外し可能な光ストリップ２０６は、留め具、ラッチ、等の適当な保持手段により、そこに保持される。
【００１９】
取り外し可能な光ストリップ２０６は、半導体光源又は有機光源のような光源を収容する。以下に詳細に説明するように、取り外し可能な光ストリップ２０６の特定の効果は、修理又はグレードアップのために交換が容易なことである。従って、例えば、取り外し可能な光ストリップ２０６又はその一部分が故障した場合には、取り外し可能な光ストリップ２０６を、素早く交換するためにスクリーン１０４から容易に、素早く且つ安価に取り外すことができる。同様に、光源の技術は、時間と共に改善を続けているので、より新しいそしてより優れた性能を発揮する取り外し可能な光ストリップ２０６を、必要に応じて、初期のものと容易に交換することができる。
【００２０】
既存の従来の光源、例えば、典型的なコールドカソード蛍光ランプ（ＣＣＦＬ）光源では、光源が故障したときに、通常、スクリーン全体を交換しなければならない。これは、人件費及び材料の両方に関してコストのかかる解決策である。対照的に、本発明による取り外し可能な光ストリップ２０６は、スクリーン全体の交換を必要としない、素早く且つコスト効率の良い解決策である。従って、取り外し可能な光ストリップ２０６は、時間と費用を節減しつつ、スクリーン１０４及びポータブルコンピュータ１００（図１）の寿命を延長させる。
【００２１】
図３は、取り外し可能な光ストリップ２０６の拡大図である。この実施形態では、側部発射の発光ダイオード（ＬＥＤ）３０８が可撓線(flex)３１０に装着されて、互いに電気的に接続される。可撓線３１０は、電気的コンポーネント及び接続部が装着される従来の可撓性媒体である。ＬＥＤ３０８は、互いに距離３１２だけ離間される。この距離３１２は、ＬＥＤ３０８の長さ以上であり、整列エリア３１３を形成する。この実施形態では、可撓線３１０は、折り返し部３１４を有し、ここで、可撓線３１０は、それ自身折り返されて、折り返し型可撓線３１６を形成する。折り返し型可撓線３１６は、挿入時にスクリーン１０４（図２）へ接続（図示せず）される電力供給コンタクト３１８を有する。折り返し型可撓線３１６は、アッセンブルハウジング３２０に包囲される。アッセンブルハウジング３２０は、折り返し型可撓線３１６、ＬＥＤ３０８、及び電力供給コンタクト３１８のための支持体をなす。
【００２２】
ＬＥＤ３０８のようなＬＥＤは、点光源である。それ故、ＬＥＤでスクリーンを照明するときには、スクリーンの均一な照明を効率的に且つ経済的に得るように多数のＬＥＤを使用しなければならない。多数のＬＥＤの使用を通じて希望の輝度レベルが非常に容易に且つ経済的に得られる。というのは、ＬＥＤのコストは、出力光レベルが高くなるにつれて急激に増加するからである。
【００２３】
最も明るい光レベルでスクリーンにわたって均一且つ経済的な照明を得るために、好ましくは、ＬＥＤを、できるだけ接近離間しなければならない。しかしながら、可撓線にＬＥＤを装着するときには、電気的接続の設計ルールにより、ＬＥＤを互いにどれほど接近して装着できるかに限度がある。それ故、ＬＥＤ間の間隔を減少する技術に従来焦点が当てられてきたが、スペース及びギャップは、依然、そのままであり、従って、達成できるＬＥＤ密度には限界がある。
【００２４】
本発明では、ＬＥＤ間の間隔を減少するのではなく、むしろ、増加することで、高いＬＥＤ密度を達成できることが予期せず発見された。従って、予期せず発見されてここに教示されるように、本発明により可撓線３１０上でＬＥＤ３０８間の間隔を増加すると、折り返し型可撓線３１６においてＬＥＤ３０８間の間隔が実際に減少される。従って、ＬＥＤ３０８は、折り返し型可撓線３１６において最大の密度で、且つＬＥＤ３０８間にほとんど又は全くスペースをもたずに、装着することができる。
【００２５】
図４は、取り外し可能な光ストリップ２０６の一部分の拡大図である。頂部可撓線４２２と底部可撓線４２４が合体されたときに結合可撓線４２１が形成される。この実施形態では、頂部可撓線４２２及び底部可撓線４２４は、同じ基本的構造のもので、ほぼ同じ長さであり、且つ折り返し部３１４（図３）により一緒に接続された同じ可撓線３１０（図３）の一部分である。しかしながら、別の実施形態（図示せず）では、頂部可撓線４２２及び底部可撓線４２４は、別々であって、折り返し部３１４（図３）により接続されなくてもよい。これら別の実施形態では、頂部可撓線４２２及び底部可撓線４２４は、通常、電力供給コンタクト３１８のような別々の電力供給コンタクトを使用する。
【００２６】
頂部可撓線４２２は、頂部ＬＥＤ４２６を有し、そして底部可撓線４２４は、底部ＬＥＤ４２８を有する。頂部ＬＥＤ４２６及び底部ＬＥＤ４２８は、整列エリア３１３に嵌合するように位置される。従って、頂部ＬＥＤ４２６及び底部ＬＥＤ４２８は、互いに交互となって、結合可撓線４２１において一線となり、ＬＥＤの直線的密度が最大にされる。結合可撓線４２１は、電力供給コンタクト３１８に電気的に接続される。アッセンブルハウジング３２０は、結合可撓線４２１及び電力供給コンタクト３１８を包囲する。
【００２７】
図５は、アッセンブリハウジング３２０（図４）をもたず、頂部可撓線４２２を底部可撓線４２４から分離した、図４の取り外し可能な光ストリップ２０６を示す。底部可撓線４２４は、第１のＬＥＤ５３０が（底部可撓線４２４の頂面の導体（図示せず）により）第３のＬＥＤ５３２に接続されて、第１の平面５２９を形成している。頂部可撓線４２２は、第２のＬＥＤ５３４が同様に電気的に接続されて、少なくとも別のＬＥＤにも接続され、従って、第１の平面５２９とは個別の第２の平面５３３を形成している。底部可撓線４２４及び頂部可撓線４２２のような従来構成の可撓線構造のために、ＬＥＤ５３０、５３２、５３４の電気的接続は、通常、第１平面５２９及び第２平面５３３を結合する前に行うことが必要である（以下に更に説明するように）。従って、第２のＬＥＤ５３４は、第１平面５２９とは個別の第２平面５２２において電気的に接続されるという特性を有する。
【００２８】
第２のＬＥＤ５３４は、この第２のＬＥＤ５３４の巾に等しいか又はそれより若干大きい底部整列エリア５３６に嵌合される。同様に、第１のＬＥＤ５３０は、この第１のＬＥＤ５３０の巾に等しいか又はそれより若干大きい第１の頂部整列エリア５３６に嵌合され、そして第３のＬＥＤ５３２は、この第３のＬＥＤ５３２の巾に等しいか又はそれより若干大きい第２の頂部整列エリア５４０に嵌合される。この構成が頂部可撓線４２２と底部可撓線４２４の長さに対して繰り返される。従って、頂部可撓線４２２及び底部可撓線４２４が位置されて結合されるときには、第１のＬＥＤ５３０、第２のＬＥＤ５３４、及び第３のＬＥＤ５３２が、結合平面５３５へと合体される。
【００２９】
図６は、底部可撓線４２４の一部分の拡大図である。この実施形態では、ＬＥＤ３０８及び整列エリア３１３に整列特徴部６４２が形成される。同様に、頂部可撓線４２２にも同様の（相補的で且つ一致する）整列特徴部が形成される。整列特徴部６４２は、折り返し型可撓線３１６（図３）の形成中に頂部可撓線４２２（図５）と底部可撓線４２４との整列を助けるように使用される。
【００３０】
図７には、本発明の別の実施形態による取り外し可能な光ストリップ７００が示されている。ＬＥＤダイ７０２は、頂部層のプリント回路板（ＰＣＢ）７０４に装着されて、底部層のＰＣＢ７０６上で互いに電気的に接続される。この実施形態では、ＬＥＤダイ７０２は、頂部発射(firing)であるが、別の実施形態（図示せず）では、ＬＥＤダイ７０２が側部発射でもよい。反射壁７０８が頂部層ＰＣＢ７０４に取り付けられ、ＬＥＤダイ７０２を取り巻く。
【００３１】
従来の構成では、ＬＥＤダイ７０２は、頂部層のＰＣＢ７０４において互いに電気的に接続されている。従って、ＬＥＤダイ７０２間の間隔が、電気的接続に必要なスペースにより制限される。しかしながら、本発明による取り外し可能な光ストリップ７００では、ＬＥＤダイ７０２を底部層のＰＣＢ７０６において互いに電気的に接続することにより、ＬＥＤダイ７０２間の間隔が電気的接続により制約を受けることはもはやない。従って、ＬＥＤダイ７０２は、ＬＥＤダイ７０２を互いに電気的接続するために頂部層のＰＣＢ７０４に必要とされる距離より短い距離で装着される。それ故、ＰＣＢの装着機能をＰＣＢの電気的接続機能から分離することにより、ＬＥＤダイ７０２間の間隔を最小にしてＬＥＤダイ７０２の最大密度を達成することが可能となる。装着機能は、頂部層のＰＣＢ７０４により効率的に達成され、そして電気的接続機能は、底部層のＰＣＢ７０６により達成される。従って、装着機能と電気的接続機能を別々の物理的平面へと分離することにより最大のＬＥＤ密度が可能となり達成される。
【００３２】
図８は、本発明の実施形態によるディスプレイシステムのためのシステム８００のフローチャートである。このシステム８００は、ブロック８０２において第１の平面内で第１の半導体光源を電気的に接続し、ブロック８０４において第１平面とは別々の第２平面内で第２の半導体光源を電気的に接続し、ブロック８０６において少なくとも第２の半導体光源の巾に等しい距離だけ第１の半導体光源から離れて第１の平面内で第３の半導体光源を電気的に接続し、そしてブロック８０８において電気的に接続された第２の半導体光源を、電気的に接続された第１の半導体光源と電気的に接続された第３の半導体光源との間に位置させることにより、第１の平面及び第２の平面を結合平面へと合体させることを含む。
【００３３】
更に詳細には、本発明の実施形態により光源間の間隔を減少し且つスクリーンの照明を増加するためのシステムは、次のようにして達成される。
１．整列特徴部６４２がＬＥＤ３０８及び整列エリア３１３に形成される。（図６）
２．頂部可撓線４２２上の第２のＬＥＤ５３４が底部整列エリア５３６に嵌合するように位置され、そして第１のＬＥＤ５３０及び第３のＬＥＤ５３２が、各々、第１の頂部整列エリア５３８及び第２の頂部整列エリア５４０に嵌合するように位置される。（図５）
３．アッセンブリハウジング３２０が頂部可撓線４２２及び底部可撓線４２４を包囲する。（図４）
４．頂部可撓線４２２及び底部可撓線４２４が折り返し部３１４により接続され、折り返し型可撓線３１６を形成する。この折り返し型可撓線３１６は、電力供給コンタクト３１８と共に、アッセンブリハウジング３２０に包囲され、取り外し可能な光ストリップ２０６を形成する。（図３）
５．取り外し可能な光ストリップ２０６がスクリーン１０４に嵌合されて、このスクリーンを照明する。（図２）
【００３４】
従って、本発明は、多数の効果を有することが分かった。
【００３５】
予期せず発見された主たる効果は、本発明により、光源間の基板間隔を増加することでスクリーンの照明量を増加できることである。
【００３６】
本発明の別の効果は、スクリーンの寿命を延長し且つ光源が故障したときにスクリーンを修理するコストを節減することである。
【００３７】
本発明の更に別の重要な効果は、コストを節減し、システムを簡素化し、性能を高めるという歴史的トレンドを大切に支援し且つそれに役立つことである。
【００３８】
従って、本発明のこれら及び他の貴重な観点は、技術の現状を少なくとも次のレベルまで引き上げる。
【００３９】
従って、本発明の取り外し可能な光ストリップは、ディスプレイシステムのための重要な、そしてこれまで未知で、利用できなかった解決策、能力、及び機能的効果を与えることが分かった。それにより得られるプロセス及び構成は、簡単で、コスト効率が良く、複雑でなく、非常に多様性があり且つ有効で、既知の技術を適応させることで実施でき、ひいては、ディスプレイシステムを効率的に且つ経済的に製造するのに容易に適している。
【００４０】
特定の最良の態様に関連して本発明を説明したが、以上の説明に鑑み、当業者であれば、多数の代替え物、修正、及び変更が理解できよう。従って、特許請求の範囲内に入るこのような代替え物、修正及び変更は、全て、網羅されるものとする。以上に取り上げられ又は添付図面に示された全ての事柄は、説明のためのもので、何らそれに限定されるものではない。
【符号の説明】
【００４１】
１００：ポータブルコンピュータ
１０２：ベース
１０４：スクリーン
１０６：キーボード
１０８：トラックパッド
２０６：取り外し可能な光ストリップ
３０８：発光ダイオード（ＬＥＤ）
３１０：可撓線
３１２：距離
３１３：整列エリア
３１４：折り返し部
３１６：折り返し型可撓線
３１８：電力供給コンタクト
３２０：アッセンブリハウジング
４２１：結合可撓線
４２２：頂部可撓線
４２４：底部可撓線
４２６、４２８：ＬＥＤ
５２９：第１平面
５３３：第２平面
５３０、５３２、５３４：ＬＥＤ
７００：取り外し可能な光ストリップ
７０２：ＬＥＤダイ
７０４：頂部層のプリント回路板（ＰＣＢ）
７０６：底部層のＰＣＢ
８００：システム
【図１】
0005503970.tif 000002
【図２】
0005503970.tif 000003
【図３】
0005503970.tif 000004
【図４】
0005503970.tif 000005
【図５】
0005503970.tif 000006
【図６】
0005503970.tif 000007
【図７−１】
0005503970.tif 000008
【図７−２】
0005503970.tif 000009